(57)【特許請求の範囲】
【請求項１】
検眼ユニットを含む検眼装置において、
該検眼ユニットを収容可能な収容部と、該検眼ユニットを固定する台座と、
該収容部から水平方向に延出する延長板を持ち、
該延長板と該台座は、水平移動機構を介して固定されていることを特徴とする可搬型検眼装置。
【請求項２】
前記収容部は、前記延長板を上下させる機構を持つことを特徴とする請求項１に記載の可搬型検眼装置。
【請求項３】
前記水平移動機構は、延長板に対して、台座の一部を突出可能であることを特徴とする請求項１又は２に記載の可搬型検眼装置。
【請求項４】
前記収容部と前記延長板は、分離可能であり、前記延長板を上下反転して
収容部に取り付け可能であることを特徴とする請求項１から３のいずれかに記載の可搬型検眼装置。
【請求項５】
前記検眼ユニットの検眼測定方向が台座の広面の法線方向であることを特徴とする請求項１から４のいずれかに記載の可搬型検眼装置。
【請求項６】
前記延長板の底面に補助脚を配置することを特徴とする請求項１から５のいずれかに記載の可搬型検眼装置。
【請求項７】
前記収容部に、前記延長板、前記台座を収容できることを特徴とする請求項１から６のいずれかに記載の可搬型検眼装置。
【発明の詳細な説明】
【技術分野】
【０００１】
本発明は、様々な環境での検眼作業に対応する可搬型検眼装置に関し、より詳しくは、ご高齢者、寝たきりの方、さらには車椅子利用者等、身体の不自由な方に配慮し、無理に身体を動かさなくても、楽な姿勢で検眼することができる検眼装置である。
【背景技術】
【０００２】
病院や眼鏡店で使用される検眼装置は、据え置き型が一般的である。検眼に際しては、患者の目と検眼装置の位置を合わせることが非常に重要である。そのため、位置を微調整する機構や位置を固定する機構があり、全体としては、大型で可搬には適さない構造である。
そのような一般的な検眼装置とは別に、集団検診や往診などに適したハンディータイプの検眼装置も開発されている。このようなハンディータイプの検眼装置は、手持ちで患者の目と検眼装置の位置を決め、測定する。検眼装置内には、目の位置を追尾する機能を持ち、患者の目と検眼装置の位置がある程度変化しても検眼可能となっている。
しかしながら、あまりに検眼装置がゆれ、目からずれてしまうと測定できないし、多くの人の検診を行うとき、使用者の疲労から、後の患者の測定精度が下がってしまうことも考えられる。
【０００３】
また、通常の検診では、患者が顔を前に突き出し、その状態を保持してもらい、検眼装置との距離を接近させ測定する。しかし、患者の介護度が高い場合、こちらの指示が伝わらないことも多い。また、患者が身体を十分動かせない場合、椅子や車椅子に座った状態で、患者が顔を前に突き出すことなく、測定を行わなければならない。患者が、一定時間頭を固定することが困難な場合、頭が動かないように介助しながら測定しなければならない。そのため、測定者の負担が大きかった。
【０００４】
また、患者が寝た状態で検眼する際、患者の頭部の上で検眼装置を支えなければならない。患者の介護度が高い場合、患者の頭が動かないようにしたり、目が閉じないようにしたりしながら測定する場合もある。測定者は患者を介助しながら測定しなければならず、測定者の負担が大きかった。
【０００５】
そこで、このような不便を解消するために、患者の介助をしながら、測定を行うことができ、寝たままの姿勢であっても測定器を患者の目の近傍に容易に保持することができる構造であり、その構造が極めてコンパクトにまとまる検眼装置が求められていた。
【０００６】
検眼装置の使い勝手を良くし、運搬時の小型軽量化を図るようにする技術（特許文献１参照）が提案され、公知技術となっている。より詳しくは、被検眼を検査又は測定する検眼ユニット本体と、検眼ユニット本体を収納するキャリングケースと、検眼ユニットを据え置きタイプとするための架台部と、該架台部の水平面上で前記検眼ユニット本体を移動
させる水平移動機構及び上下移動させる上下移動ユニットとを備え、前記キャリングケースの一部又は全部を架台部として使用する構成としたものである。
この技術によって、装置の小型軽量化が図られ、病院外での検眼時の測定負担をある程度軽減できる。しかしながら、架台に検眼装置を固定した形態であることから、机などの上に設置して使用することが前提となっている。そのため、机などが無い状態で、検眼装置を患者の目に接近した状態で保持する構造については記載されておらず、前記問題の解決には至っていない。
【０００７】
本発明者はそれらの問題を解決しようと、収容部に延長板を配置し、延長板上に水平移動可能な台座を配置し、台座に検眼装置を固定する構造に着目し、「可搬型検眼装置」の提案に至るものである。
これにより、測定者は装置を不安定な状態で保持することがなく、装が安定した状態でより正確な検眼ができる。患者側としても介護度の高い患者を移動し、検眼のために体勢を変えなければならない等の負担を軽減できる。
また、コンパクトに収納できることにより、持ち運びを容易にし、車輪をつけることによって使用者の移動中の負担も軽減する。
【先行技術文献】
【特許文献】
【０００８】
【特許文献１】特許第３７４２２８８号
【発明の概要】
【発明が解決しようとする課題】
【０００９】
本発明は上記問題点に鑑み、病院や眼鏡店へ行けない身体の不自由な方であっても自宅や施設等で検眼することができ、かつ、患者の姿勢、状態に合わせ、椅子や車椅子に座った状態あるいは患者が寝た状態であっても、測定器を患者の目の近傍に容易に保持することができ、移動時には極めてコンパクトにまとめることを可能とする可搬型検眼装置の提供を図る。
【課題を解決するための手段】
【００１０】
本発明に係る可搬型検眼装置は、検眼ユニットを収容可能な収容部と、該検眼ユニットを固定する台座と、該収容部から水平方向に延出する延長板を持ち、該延長板と該台座は、水平移動機構を介して固定されていることを手段とする。
【００１１】
また、本発明は、前記収容部は、前記延長板を上下させる機構を持つことを手段とする。
【００１２】
また、本発明は、前記水平移動機構は、延長板に対して、台座の一部を突出可能であることを手段とする。
【００１３】
また、本発明は、前記収容部と前記延長板は、分離可能であり、前記延長板を上下反転して  収容部に取り付け可能であることを手段とする。
【００１４】
また、本発明は、前記検眼ユニットの検眼測定方向が台座の広面の法線方向であることを手段とする。
【００１５】
また、本発明は、前記延長板の底面に補助脚を配置することを手段とする。
【００１６】
また、本発明は、前記収容部に、前記延長板、前記台座を収容できることを手段とする。
【発明の効果】
【００１７】
本発明に係る可搬型検眼装置によれば、患者の姿勢、状態によらず、測定器を患者の目の近傍に容易に保持することができる構造であり、その部材を極めてコンパクトにまとめることが可能であり、使用者の作業負担及び患者の負担の軽減に寄与するものである。
【図面の簡単な説明】
【００１８】
【図１】本発明に係る可搬型検眼装置の収納時の形態と使用時の形態を示す図である。
【図２】本発明に係る可搬型検眼装置の設置手順を説明する図である。
【図３】本発明に係る可搬型検眼装置の水平移動機構の構造を示す図である。
【図４】本発明に係る可搬型検眼装置の使用時の患者との関係を示す図である。
【図５】本発明に係る可搬型検眼装置に補助脚を設置した状態を示す図である。
【発明を実施するための形態】
【００１９】
本発明である可搬型検眼装置は、患者の姿勢、状態によらず、測定器を患者の目の近傍に容易に保持することができ、移動時には極めてコンパクトにまとめてできることを最大の特徴とする。以下、実施例を図面に基づいて説明する。
なお、本実施例で示される可搬型検眼装置の全体形状及び各部の形状は、下記に述べる実施例に限定されるものではなく、本発明の技術的思想の範囲内、即ち、同一の作用効果を発揮できる形状及び寸法の範囲内で変更することができるものである。
【００２０】
なお、特別に条件の記載が無い限り、鉛直方向を下、対向する方向を上とする。前後左右は、検眼ユニット９の背面ディスプレイを正対してみた状態での前後左右とする。
（実施例１）
【００２１】
図１から図２に従って、本発明の構成を説明する。
図１（ａ）は、本発明に係る可搬型検眼装置の全体斜視図を示し、図１（ｂ）は同使用時の全体斜視図を示すものである。図２は、本発明に係る可搬型検眼装置の設置手順を説明する図である。図２（ａ）は、部材の収納形態を示し、図２（ｂ）は、組み立ての手順を示す。
可搬型検眼装置１は、収納時、筐体２内にすべて収納されている。筐体２は、全体として直方体であり、大きさは、概ね大きめのスーツケース程度である。底部に、車輪４０３が４本あり、持ち上げることなく移動可能である。上部は、蓋部３であり、蓋部３の天面には、取手３０１が配置されている。蓋部３は、止め具４０１で収容部４と固定されている。
【００２２】
収容部４は、測定ユニット９、顔保持部１０をはじめ、検眼時に必要な装置、部材、書面などが引き出し４０２に入っている。検眼し、眼鏡を販売するような場合には、テストレンズ、レンズメータ、視力表、フレームヒーター、工具、販売用フレーム、超音波洗浄機、販売用資料などをすべて収容部４内に収納可能である。
測定ユニット９は、ハンディータイプであり、バッテリーで駆動する。正面側には、カメラがあり、患者の目を撮影する。使用者は、測定ユニット９の裏面のディスプレイを見ながら、操作ボタンによって、測定動作を行う。
顔保持部１０は、患者の顔が動かないように保持するものであり、あごを乗せる台が付いている。
【００２３】
筐体２内には、延長板６と、延長板６に水平移動機構８を介して接続された台座７も同梱されている。
図１（ｂ）は、可搬型検眼装置１の検眼時の形態である。筐体２の蓋部３は外されている。収容部４の上部には、上下方向に移動可能な測定基部５が配置されている。測定基部５の側面には、延長板６と、延長板６に水平移動機構８を介して接続された台座７とが固定されている。台座７には、測定ユニット９と顔保持部１０が固定されている。使用者は収容部４方向から、測定ユニット９を操作し、患者の検眼を行う。
測定基部５が上下方向に移動可能であることから、患者の背丈、姿勢に高さに応じて測定ユニット９の高さを合わせることができる。延長板６に対して、台座７が水平移動機構８を介して接続されているので、台座７は水平方向に移動可能である。そのため、患者に対して、前後、左右に測定ユニット９をスムーズに移動することができる。
【００２４】
次に図２に沿って、設置手順を説明する。収容部４の止め具４０１を外して、蓋部３を外す。収容部４の上部には、延長板６、台座７が同梱されているので、延長板６、台座７を一旦、取り除く。次に、収容部４の上部にある測定基部５を上方向に伸ばし、測定基部５の高さが患者の背丈、姿勢から見て妥当な位置にする。測定基部５は、収容部４に対して、４本の支柱５０１で支持されている。収容部４には支柱５０１に対応する孔が開けられている。穴は、収容部４の側面に極めて近い位置であるので、引き出し４０２と干渉することは無い。支柱５０１は、収容部４と摺動可能に固定されていることから、高さを任意の位置に保持することができる。
【００２５】
測定基部５と延長板６とは、両方の側面を合わせるように接続される。測定基部５、延長板６には、対応する側面に孔が開いており、延長板６の孔６０２に、ピン６０１を刺し、測定基部５の対応する孔にピン６０１を刺すことで固定する。台座７には、測定ユニット９、顔保持部１０用の設置孔７０１、７０２があり、測定ユニット９、顔保持部１０を孔に挿入し、ねじなどで固定する。
上記の作業によって、設置が完了する。本検眼装置によって、患者の背丈、姿勢に合わせて、測定ユニット９を上下、左右、前後にスムーズに移動することができる。
【００２６】
また、延長板６を測定基部５に設置する際、延長板６の上下を逆にすることによって、測定ユニット９を下向きに設置することができる。すると、患者が、極めて低い位置にいる場合も検眼が容易となる。
【００２７】
次に、水平移動機構８の詳細について図３に沿って、説明する。図３（ａ）は、水平移動機構８の上面図である。台座７は省略し、点線としている。図３（ｂ）は、後方からの側面図である。図３（ｃ）は、右方からの側面図である。
水平移動機構８は、延長板６に対して台座７を大幅に前方向に移動させることが可能である。水平移動機構８は、延長板６に固定された前後移動用レール１２と、前後移動用レール１２上に乗った前後移動部１３と、前後移動部１３上に設けられた左右移動用レール１４と左右移動用レール１４に乗った左右移動部１５から成る。左右移動部１５は、台座７の底面に固定されている。
【００２８】
前後移動用レール１２は、延長板６の表面に前後方向に、ほぼ、前後一杯に、２本配置されている。前後移動用レール１２の端部には、前後移動部１３の脱落を防ぐ静止部１２０１が配置されている。前後移動用レール１２は、右のレールは右方向に、左のレールは左方向に、延出部を持つ。前後移動用レール１２の上には、前後移動部１３が配置されている。前後移動部１３は前後の自由度を高くするために、前後に短く、左右に長い構造である。前後移動部１３の底面には、前後移動用レール１２に対応する位置に、レール保持部１３０１が配置されている。レール保持部１３０１は、前後移動用レール１２とほぼ同様の断面形状で、延出部同士が噛み合わせる構造である。この構造によって、前後移動部１３は、延長板６に対して、前後方向に移動可能であり、且つ、延長板６から脱落することは無い。
【００２９】
また、前後移動部１３は、左右移動部１５を介して、台座７の後寄りの位置に固定されている。そのため、延長板６に対して、台座７をより前方に移動させることができる。
【００３０】
左右移動用レール１４は、前後移動部１３の表面に左右方向に、ほぼ、左右一杯に、２本配置されている。左右移動用レール１４の端部には、左右移動部１５の脱落を防ぐ静止部１４０１が配置されている。左右移動用レール１４は、前側のレールは前方向に、後のレールは後方向に、延出部を持つ。左右移動用レール１４の上には、左右移動部１５が配置されている。左右移動部１５は左右の自由度を高くするために、左右に短い構造である。左右移動部１５の底面には、左右移動用レール１４に対応する位置に、レール保持部１５０１が配置されている。レール保持部１５０１は、左右移動用レール１４とほぼ同様の断面形状で、延出部同士が噛み合わせる構造である。この構造によって、左右移動部１５は、前後移動部１３に対して、左右方向に移動可能であり、且つ、前後移動部１３から脱落することは無い。
【００３１】
このように、水平移動機構８によって、台座７は、延長板６に対して前後左右にスムーズに移動可能である。そのため、測定ユニット９の位置を患者にあった位置に迅速に移動することができる。
【００３２】
次に、図４に沿って、可搬型検眼装置１の使用時における患者との関係について説明する。図４（ａ）は、患者が車椅子を使用していた場合である。車椅子を使用しているということは、単独での起立は困難であるし、足腰以外の部分も患者の思い通りに動かせない場合も多い。また、患者の介護度が高い場合、こちらの指示が伝わらないことも多い。検眼時は、患者に顔を前に突き出し、その状態を保持してもらい、検眼装置との距離を接近させ、測定する。しかし、上記のような場合は、患者が顔を前に突き出すことができなくても、測定を行わなければならないし、患者によっては、頭が動かないように介助しながら測定しなければならない。
【００３３】
その際、可搬型検眼装置１の収容部４から延長板６、台座７を繰り出すことで、測定ユニット９、顔保持部１０を患者の顔の近傍の位置に固定することができる。使用者が測定ユニット９を持ち、患者の顔の近傍の位置に測定ユニット９を保持することは、作業的に負担が大きいし、手振れなどのために、正確な測定ができない場合もある。
しかし、図４（ａ）のように、車椅子を使用した患者の顔の近傍に測定ユニット９、顔保持部１０を固定することによって、安定した測定ができるし、その分、患者の様子に注意を払いながら測定することができる。
【００３４】
また、左右の目を交互に測定する場合も、台座７を前後左右にスムーズに移動可能であるので、患者の目と測定ユニット９の位置あわせを迅速に行うことができる。
なお、測定ユニット９の操作は、使用者が手を伸ばして行ってもいいし、リモコンなど手元で行ってもよい。
【００３５】
また、車椅子の患者に対して、図４（ｂ）のように、車椅子の側面に収容部４を移動し、患者の横方向から測定ユニット９を患者の前に持っていってもよい。この様にすることで、測定ユニット９を安定して固定することができる。また、使用者と測定ユニット９の位置が接近することから、測定ユニット９の操作も容易となる。
【００３６】
次に、図４（ｃ）のように、患者がベッドなどで仰臥位の場合について説明する。患者が寝た状態で検診が必要な場合は、患者の頭部の上で検眼装置を支えなければならない。そのため、測定ユニット９を支えながら検眼しなければならず、作業負担が、通常の測定よりも大きい。さらに、患者が仰臥位である場合は、患者の意識が朦朧としている場合もあり、そうすると、使用者は、患者の頭が動かないようにしたり、目が閉じないようにしたりしながら測定する必要があり、さらに作業負担が大きくなっていた。
【００３７】
測定基部５に接続する延長板６を通常と上下を反転して接続する。測定ユニット９は、台座７の底面に付く形となる。台座７と測定ユニット９とをつなぐ支柱９０２は、測定ユニット９を９０度曲げて支持する構造である（図４（ｃ））。この構造によって、仰臥位の患者に対して、安定した測定が可能となる。
（実施例２）
【００３８】
他の実施例について図５を用いて説明する。実施例１と同様の部分は省略する。
実施例１によって、測定ユニット９を安定して保持し、検眼作業の負担を軽減できるが、測定ユニット９が収容部４に対して水平方向に突出することから、患者などが不用意に測定ユニット９、顔保持部１０に触れると、可搬型検眼装置１全体が傾く恐れもある。
そこで、補助脚１１を用いることで、検眼時の測定ユニット９の位置固定をさらに安定させることができる。補助脚１１は、複数のパイプからなり、分解することで、収容部４内に収容可能である。全体は、台形型をしており。高さは、調整可能である。台形の上辺部分を台座７の底部分に固定することで、台座７を支える構造である（図５（ｂ））。患者は、補助脚１１の台形の内側に入るようにして検眼を行う。
【００３９】
このような構造とすることで、検眼する場所に、適当な机などが無くても安定して、作業負担を増大させることなく、検眼を行うことができる。
【産業上の利用可能性】
【００４０】
本発明に係る可搬型検眼装置は、設備の整っていない場所での検眼作業についての産業上の利用可能性は大きいと解する。
【符号の説明】
【００４１】
１    可搬型検眼装置
２    筐体
３    蓋部
４    収容部
５    測定基部
６    延長板
７    台座
８    水平移動機構
９    測定ユニット
１０  顔保持部
１１  補助脚
１２  前後移動用レール
１３  前後移動部
１４  左右移動用レール
１５  左右移動部
１６  ベッド
１９  仰臥位の患者
２０  車椅子使用の患者
４０１  止め具
４０２  引き出し
４０３  車輪
４０４  収納品
５０１  支柱
６０１  ピン
６０２  孔
７０１  支柱固定孔
７０２  支柱固定孔
９０１  支柱
９０２  支柱
１００１  支柱
１２０１  静止部
１３０１  レール保持部
１４０１  静止部
１５０１  レール保持部
【要約】
【課題】
病院や眼鏡店へ行けない身体の不自由な方の自宅や施設等でも検眼することができ、かつ、患者の姿勢、状態に合わせ、椅子や車椅子に座った状態あるいは患者が寝た状態であっても、測定器を患者の目の近傍に容易に保持することができ、移動時には極めてコンパクトにまとめることを課題とする。
【解決手段】検眼ユニットを含む検眼装置において、該検眼ユニットを収容可能な収容部と、検眼ユニットを固定する台座と、該収容部から水平方向に延出する延長板を持ち、該延長板と該台座は、水平移動機構を介して固定されている構造である。  このような構造とすることで、検眼する場所に、適当な机などが無くても安定して、作業負担を増大させることなく、検眼を行うことができる。
【選択図】図１【図１】
0005896581.tif 000002
【図２】
0005896581.tif 000003
【図３】
0005896581.tif 000004
【図４】
0005896581.tif 000005
【図５】
0005896581.tif 000006